(57)【要約】【課題】電子ペーパに記憶されている画像のうちの一部領域の複写を禁止して残りの領域の複写を可能にする。【解決手段】複合機１００は、画像データを記憶すると共に当該画像データの画像を表示する電子ペーパＥとの間で非接触通信を行う第２通信装置１３３を有している。この複合機１００の制御部１５０は、電子ペーパＥに記憶される画像データの画像の中の一部領域を複写禁止領域として指定する指定コマンドを受け付けると、複写禁止情報を電子ペーパＥに記録する処理を第２通信装置１３３に行わせる。前記複写禁止情報は、電子ペーパＥから画像データを読み出して当該画像データの画像を用紙に複写する複写装置に対して、当該画像データの画像のうち、前記複写禁止領域の画像の複写を禁止する事を指示する情報である。【選択図】図５
2012060527.tif 000002
【特許請求の範囲】
【請求項１】
画像データを記憶すると共に当該画像データの画像を表示する携帯型表示媒体との間で非接触通信を行う情報処理装置であって、
前記画像データの画像の中の一部領域を複写禁止領域として指定する指定コマンドを受け付けると、複写禁止情報を前記携帯型表示媒体に記録する記録部を備え、
前記複写禁止情報は、前記画像データを前記携帯型表示媒体から読み出し且つ当該画像データの画像を複写用媒体に複写する複写装置に対して、当該画像データの画像のうち、前記複写禁止領域の画像の複写を禁止することを指示する情報であることを特徴とする情報処理装置。
【請求項２】
前記記録部は、前記複写禁止領域の下地色を指定する第１の色指定コマンドを受け付けると、第１の色設定情報を前記携帯型表示媒体に記録し、
第１の色設定情報は、前記携帯型表示媒体に表示される画像のうち、前記複写禁止領域に対応する部分の下地色を前記第１の色指定コマンドにて指定されている下地色にすることを前記携帯型表示媒体に指示する情報であることを特徴とする請求項１に記載の情報処理装置。
【請求項３】
前記記録部は、第１の枠設定コマンドを受け付けると、前記携帯型表示媒体に表示される画像において前記複写禁止領域に対応する部分を囲う枠を示すことを前記携帯型表示媒体に指示する第１の枠設定情報を前記携帯型表示媒体に記録することを特徴とする請求項１または２に記載の情報処理装置。
【請求項４】
前記記録部は、表示禁止設定コマンドを受け付けると、前記画像データの画像の中の前記複写禁止領域に対応する部分の画像の表示を禁止することを前記携帯型表示媒体に指示する表示禁止設定情報を前記携帯型表示媒体に記録し、設定解除コマンドを受け付けると、前記表示禁止設定情報を前記携帯型表示媒体から削除することを特徴とする請求項１から３のいずれか１項に記載の情報処理装置。
【請求項５】
前記記録部は、前記携帯型表示媒体から画像が複写される前記複写用媒体において前記複写禁止領域に対応する部分の下地色を指定する第２の色指定コマンドを受け付けると、第２の色設定情報を前記携帯型表示媒体に記録し、
第２の色設定情報は、前記複写用媒体において前記複写禁止領域に対応する部分の下地色を前記第２の色指定コマンドにて指定されている下地色にすることを前記複写装置に指示する情報であることを特徴とする請求項１から４のいずれか１項に記載の情報処理装置。
【請求項６】
前記記録部は、第２の枠設定コマンドを受け付けると、前記携帯型表示媒体から画像が複写される前記複写用媒体において前記複写禁止領域に対応する部分を囲う枠を示すことを前記複写装置に指示する第２の枠設定情報を前記携帯型表示媒体に記録することを特徴とする請求項１から５のいずれか１項に記載の情報処理装置。
【請求項７】
画像データを記憶すると共に前記画像データの画像を表示する携帯型表示媒体から前記画像データを読み出し、読み出した画像データの画像を複写用媒体に複写する複写装置において、
前記画像の中の一部領域を複写禁止領域として示した複写禁止情報が前記携帯型表示媒体に記憶されている場合、前記画像データの画像のうち、前記複写禁止領域については前記複写用媒体に複写せずに前記複写禁止領域以外の領域の画像を前記複写用媒体に複写する複写部とを備えていることを特徴とする複写装置。
【請求項８】
複写禁止領域の位置および範囲の少なくとも一方が各々異なる複数の複写禁止情報が前記携帯型表示媒体に記録されている場合、複数の複写禁止情報のなかのいずれかを選択することを示した選択コマンドの入力を利用者から受け付ける受付部を備え、
前記複写部は、前記画像データの画像のうち、前記選択コマンドにて選択されている複写禁止情報に示される複写禁止領域については前記複写用媒体に複写せず、前記選択コマンドにて選択されている複写禁止情報に示される複写禁止領域以外の領域の画像を前記複写用媒体に複写することを特徴とする請求項７に記載の複写装置。
【発明の詳細な説明】
【技術分野】
【０００１】
本発明は、電子ペーパ、電子ブック端末、スマートフォン、携帯情報端末等の画像表示を行う携帯型表示媒体に対して情報を記録する情報処理装置に関する。
【背景技術】
【０００２】
電子ペーパに表示させる画像の画像データを無線通信で当該電子ペーパに書き込み、且つ、電子ペーパに書き込まれている画像データを電子ペーパから無線通信で読み取ることの可能な複合機が従来から知られている。
【０００３】
また、特許文献１には、電子ペーパに表示されている画像をスキャナにて撮像する複写装置が開示されている。この複写装置は、複写許可を示す情報が電子ペーパに記憶されている場合、電子ペーパに表示されている画像をスキャナにて撮像して用紙に複写し、複写禁止を示す情報が電子ペーパに記憶されている場合、電子ペーパに表示されている画像の撮像を中止するようになっている。
【先行技術文献】
【特許文献】
【０００４】
【特許文献１】特開２００５−１２７０１号公報（公開日：２００５年０１月１３日）
【発明の概要】
【発明が解決しようとする課題】
【０００５】
電子ペーパに記憶（表示）されている画像を用紙へ複写するに際し、電子ペーパに記憶されている画像のうちの一部は複写せずに残り部分のみが複写されるような処理を所望するユーザが存在する。例えば、問題文と解答内容とが示されたテスト画像を電子ペーパに記憶し、電子ペーパに記憶されているテスト画像に基づいて、解答内容は複写されず問題文のみ複写された第１の用紙と、問題文および解答内容が複写された第２の用紙とを出力し、テスト時に第１の用紙を学生に配布してテストを行い、テスト後に第２の用紙を学生に配布して解答を公表するようなことを所望するユーザが存在する。しかし、従来、電子ペーパに記憶されている画像のうちの一部は複写せずに残り部分のみが複写されるような一部複写処理を実現可能なシステムは具体化されていなかった。
【０００６】
本発明は、携帯型表示媒体に記憶されている画像のうちの一部領域の複写を禁止して残領域の複写を可能にすることを目的とする。
【課題を解決するための手段】
【０００７】
本発明は、前記の目的を達成するために、画像データを記憶すると共に当該画像データの画像を表示する携帯型表示媒体との間で非接触通信を行う情報処理装置であって、前記画像データの画像の中の一部領域を複写禁止領域として指定する指定コマンドを受け付けると、複写禁止情報を前記携帯型表示媒体に記録する記録部を備え、前記複写禁止情報は、前記画像データを前記携帯型表示媒体から読み出して当該画像データの画像を複写用媒体に複写する複写装置に対して、当該画像データの画像のうち、前記複写禁止領域の画像の複写を禁止することを指示する情報であることを特徴とする。本願発明の構成によれば、利用者は、前記指定コマンドを入力することによって、携帯型表示媒体に記憶されている画像データの画像の中の一部の所望領域を複写禁止領域として指定できるようになっている。そして、複写禁止領域が指定されると、前記画像データの画像の中の前記複写禁止領域の画像の複写を禁止することを前記複写装置に指示する複写禁止情報が携帯型表示媒体に記録される。それゆえ、前記携帯型表示媒体に記憶されている画像データの画像が前記携帯型表示媒体から複写用媒体へ複写される際、利用者に指定された複写禁止領域の画像を複写させず、複写禁止領域以外の領域の画像のみ複写させるといったことが可能になる。
【０００８】
本発明の情報処理装置において、前記記録部は、前記複写禁止領域の下地色を指定する第１の色指定コマンドを受け付けると、第１の色設定情報を前記携帯型表示媒体に記録し、第１の色設定情報は、前記携帯型表示媒体に表示される画像のうち、前記複写禁止領域に対応する部分の下地色を前記第１色指定コマンドにて指定されている下地色にすることを前記携帯型表示媒体に指示する情報であってもよい。この構成によれば、携帯型表示媒体に表示される画像の中には複写禁止領域の画像も示されるが、携帯型表示媒体に表示される画像において、複写禁止領域に対応する箇所の下地色を利用者が指定した下地色に設定することが可能になる。これにより、利用者からすれば、携帯型表示媒体に表示されている画像のうち、どの部分が複写禁止領域（携帯型表示媒体から複写用媒体への複写が禁じられている領域）であるかを把握することが容易になる。
【０００９】
本発明の情報処理装置において、前記記録部は、第１の枠設定コマンドを受け付けると、前記携帯型表示媒体に表示される画像において前記複写禁止領域に対応する部分を囲う枠を示すことを前記携帯型表示媒体に指示する第１の枠設定情報を前記携帯型表示媒体に記録するようになっていてもよい。この構成によれば、携帯型表示媒体に表示される画像の中には複写禁止領域の画像も示されるが、さらに、携帯型表示媒体に表示される画像において複写禁止領域に対応する箇所を囲う枠が示される。これにより、利用者からすれば、携帯型表示媒体に表示されている画像のうち、どの部分が複写禁止領域（携帯型表示媒体から複写用媒体への複写が禁じられている領域）であるかを把握することが容易になる。
【００１０】
また、本発明の情報処理装置において、前記記録部は、表示禁止設定コマンドを受け付けると、前記画像データの画像の中の前記複写禁止領域に対応する部分の画像の表示を禁止することを前記携帯型表示媒体に指示する表示禁止設定情報を前記携帯型表示媒体に記録し、設定解除コマンドを受け付けると、前記表示禁止設定情報を前記携帯型表示媒体から削除するようになっていてもよい。この構成によれば、利用者が前記表示禁止設定コマンドを入力することで、前記携帯型表示媒体において前記画像データの画像のうち複写禁止領域の画像が表示されず他領域の画像のみが表示されるようになり、利用者が前記設定解除コマンドを入力することにより、前記携帯型表示媒体において前記複写禁止領域の画像を表示させることが可能になる。これにより、一時的に携帯型表示媒体において前記複写禁止領域の画像を表示されないといったことが可能になる。
【００１１】
さらに、本発明の情報処理装置において、前記記録部は、前記携帯型表示媒体から画像が複写される前記複写用媒体において前記複写禁止領域に対応する部分の下地色を指定する第２の色指定コマンドを受け付けると、第２の色設定情報を前記携帯型表示媒体に記録し、第２の色設定情報は、前記複写用媒体において前記複写禁止領域に対応する部分の下地色を前記第２色指定コマンドにて指定されている下地色にすることを前記複写装置に指示する情報であってもよい。この構成によれば、前記複写用媒体において前記複写禁止領域に対応する箇所の下地色を利用者が指定した下地色に設定できるため、前記複写禁止領域が設定されたが故に前記複写用媒体において画像が複写されなかった部分があることを利用者に認識させることが可能になる。
【００１２】
また、本発明の情報処理装置において、前記記録部は、第２の枠設定コマンドを受け付けると、前記携帯型表示媒体から画像が複写される前記複写用媒体において前記複写禁止領域に対応する部分を囲う枠を示すことを前記複写装置に指示する第２の枠設定情報を前記携帯型表示媒体に記録するようになっていてもよい。この構成によれば、前記複写用媒体において前記複写禁止領域に対応する箇所の下地色を利用者が指定した下地色に設定できるため、前記複写禁止領域が設定されたが故に前記複写用媒体において画像が複写されなかった部分があることを利用者に認識させることが可能になる。
【００１３】
また、本発明は、前記の目的を達成するために、画像データを記憶すると共に前記画像データの画像を表示する携帯型表示媒体から前記画像データを読み出し、読み出した画像データの画像を複写用媒体に複写する複写装置において、前記画像の中の一部領域を複写禁止領域として示した複写禁止情報が前記携帯型表示媒体に記憶されている場合、前記画像データの画像のうち、前記複写禁止領域については前記複写用媒体に複写せずに前記複写禁止領域以外の領域の画像を前記複写用媒体に複写する複写部とを備えていることを特徴とする。本発明の構成によれば、前記携帯型表示媒体に表示される画像が前記携帯型表示媒体から複写用媒体へ複写される際、一部領域の画像を複写させず、それ以外の領域の画像のみ複写させるといったことが可能になる。
【００１４】
さらに、本発明の複写装置は、複写禁止領域の位置および範囲の少なくとも一方が各々異なる複数の複写禁止情報が前記携帯型表示媒体に記録されている場合、複数の複写禁止情報のなかのいずれかを選択することを示した選択コマンドの入力を利用者から受け付ける受付部を備え、前記複写部は、前記画像データの画像のうち、前記選択コマンドにて選択されている複写禁止情報に示される複写禁止領域については前記複写用媒体に複写せず、前記選択コマンドにて選択されている複写禁止情報に示される複写禁止領域以外の領域の画像を前記複写用媒体に複写するようになっていてもよい。この構成によれば、単一の画像データの画像に基づいて、互いに複写禁止領域（複写されない領域）の範囲または位置が異なる複数の複写物を出力できるという効果を奏する。例えば、携帯型表示媒体に、描画Ａ,描画Ｂ,描画Ｃが示される画像の画像データと、描画Ａを複写禁止エリアとする第１複写禁止情報と、描画Ｂを複写禁止エリアとする第２複写禁止情報とが記憶されている場合を想定する。この場合、第１複写禁止情報を選択することを示した選択コマンドが入力されると、描画Ａが示されずに描画ＢおよびＣが示された複写物が出力され、第２複写禁止情報を選択することを示した選択コマンドが入力されると、描画Ｂが示されずに描画ＡおよびＣが示された複写物が出力されることになる。つまり、利用者からすれば、携帯型表示媒体から複写用媒体に画像を複写する際、互いに複写禁止領域の範囲または位置を異ならせる複数の複写物を出力させることを容易に実行できる。
【発明の効果】
【００１５】
以上のように、本発明によれば、前記携帯型表示媒体に記憶されている画像データの画像が前記携帯型表示媒体から複写用媒体へ複写される際、利用者に指定された複写禁止領域の画像を複写させず、複写禁止領域以外の領域の画像のみ複写させるといったことが可能になる。
【図面の簡単な説明】
【００１６】
【図１】本実施形態の複合機の内部構成を示す図である。
【図２】図１の複合機に設けられる画像入力装置を示す図である。
【図３】図１の複合機の手差トレイを示す図である。
【図４】本実施形態の電子ペーパが備える各ハードウェアを示す機能ブロック図である。
【図５】図１の複合機が備える各ハードウェアを示す機能ブロック図である。
【図６】本実施形態の複合機において実行される処理の流れを示したフローチャートである。
【図７】図６のＳ５に示される画像記録モードのサブルーチンを示すフローチャートである。
【図８】図７のＳ２３に示される画像記録処理のサブルーチンを示すフローチャートである。
【図９】図６のＳ６に示される画像複写モードのサブルーチンを示すフローチャートである。
【図１０】図９のＳ６３の複写処理のサブルーチンを示すフローチャートである。
【図１１】本実施形態の記録モードおよび複写モードにて処理される原稿画像を示す図である。
【図１２】原稿画像に対して、複写禁止領域を設定する状況を説明するための図である。
【図１３】本実施形態の複写処理にて印刷出力される原稿画像のバリエーションを示した図である。
【図１４】変形例にて用いられる原稿画像と、当該原稿画像から得られる複写物とを示した説明図である。
【発明を実施するための形態】
【００１７】
本発明の実施の一形態について図に基づいて説明すれば、以下の通りである。図１は、本実施形態の複合機の構成例を示す図である。複合機１００は、原稿の画像を撮像する画像入力装置９０と用紙に対して画像を印刷する画像形成装置１１０とを有する。
【００１８】
（画像入力装置について）
本実施形態の画像入力装置９０は、図２に示すように、原稿台９２と、原稿台９２の上側に配される原稿自動搬送装置１２０と、原稿台９２の下側に配されており撮像素子によって原稿の画像を撮像するスキャナ部１９１とを有している。すなわち、画像入力装置９０は、原稿自動搬送装置１２０にて搬送されている状態の原稿の画像を撮像する処理と、原稿台９２上に載置されている状態の原稿の画像を撮像する処理とを実行するスキャナである。なお、画像入力装置９０にて撮像が行われると、撮像された画像を示す画像データが生成される。この画像データは、画像形成装置１１０に入力するか、複合機１００の記憶装置に格納されるようになっている。
【００１９】
以下、原稿台９２上に載置されている状態の原稿の画像を撮像する際の動作を説明する。まず、利用者は、原稿自動搬送装置１２０を回動させて原稿台９２を開放し、原稿台９２上に原稿を載置する。その後、利用者は、原稿自動搬送装置１２０を回動させて原稿台９２を閉じ、ジョブ開始キー（不図示）を押すことでコマンドを入力する。このコマンドの入力によって、スキャナ部１９１は、原稿台９２の下側にて走査を開始し、原稿台９２に載置されている原稿の画像を撮像するようになっている。
【００２０】
つぎに、原稿自動搬送装置１２０を用いて原稿の画像を撮像する際の動作について説明する。まず、原稿の片面のみ撮像される場合について説明する。最初に、利用者は原稿トレイ２１に原稿を載置する。つぎに、利用者は、ジョブ開始キーを押すことによってコマンドを複合機１００に入力する。このコマンドの入力があると、原稿トレイ２１の原稿は、ピックアップローラ２４および捌きローラ２５によって原稿搬送経路２３に送り出され、レジストローラ対２７によって所定位置Ｐに搬送される。さらに、所定位置Ｐにおいて、原稿は、原稿台９２に当接しながら搬送し、スキャナ部１９１によって撮像される。所定位置Ｐを通過した原稿は、搬送ローラ対２８によって搬送され、排紙ローラ対２９および切換えゲート３４によって第１排紙トレイ２２に排出される（この場合、切換えゲート３４は上向き（点線）である）。
【００２１】
なお、両面が撮像される場合、以上のようにして片面の撮像を終えた後の原稿が、排紙ローラ対２９、および、切換えゲート３４によって、中間トレイ３３側に送り出されるようになっている（この場合、切換えゲート３４は下向き（実線）である）。但し、この場合、排紙ローラ対２９は原稿を完全に排出せず、原稿をニップしたまま反転し、原稿を反転搬送経路３５へ送り出す。こうして反転搬送経路３５に送り出された原稿は、再び原稿搬送経路２３から所定位置Ｐへ送られ、裏面の撮像が終了した後、排紙ローラ対２９によって第１排紙トレイ２２に排出されることになる。
【００２２】
（画像形成装置について）
つぎに、画像形成装置について図１に基づいて説明する。画像形成装置（印刷装置）１１０は、電子写真方式のカラープリンタであって、ＬＡＮ等にて接続されている外部装置から送られてくる画像データに基づく画像を用紙へ印刷する処理と、画像入力装置９０にて生成された画像データの画像を用紙へ印刷する処理とを実行可能な装置である。
【００２３】
画像形成装置１１０において扱われる画像データは、ブラック（Ｋ）、シアン（Ｃ）、マゼンタ（Ｍ）、イエロー（Ｙ）の各色を用いたカラー画像に応じたものである。したがって、各色に応じた４種類の潜像が形成されるように、現像器２、感光体ドラム３、帯電器５、クリーナユニット４からなる画像形成ステーションが４個設置されている。つまり、画像形成装置１１０には、ブラック画像用の画像形成ステーションと、シアン画像用の画像形成ステーションと、イエロー画像用の画像形成ステーションと、マゼンタ画像用の画像形成ステーションとが設けられている。
【００２４】
帯電器（帯電手段）５は、感光体ドラム３の表面を所定の電位に均一に帯電させるための帯電ローラである。なお、帯電器５としては、図１に示すようなローラ型の他、ブラシ型が用いられてもよい。また、ローラ型やブラシ型のような接触方式の帯電器ではなく、非接触方式の帯電器が用いられてもよい。
【００２５】
露光ユニット１は、レーザ出射部（レーザ光源）と、レーザ出射部から放たれたレーザビームを走査するポリゴンミラーと、ポリゴンミラーによって走査されたレーザ光を感光体ドラム３に導くレンズおよび反射ミラー（光学部材）とを備えるレーザスキャニングユニット（ＬＳＵ）である。なお、発光素子をアレイ状に並べたＥＬやＬＥＤ書込みヘッドを露光ユニットとして設置してもよい。
【００２６】
露光ユニット１は、帯電された感光体ドラム３を、入力された画像データに応じて露光することにより、その表面に、画像データに応じた静電潜像を形成する機能を有する。現像器２は、感光体ドラム３上に形成された静電潜像を現像器２内のトナーによって現像（顕像化）するものである。なお、ブラック画像用の画像形成ステーションの現像器２ではブラックトナーによって現像が行われ、シアン画像用の画像形成ステーションの現像器２ではシアントナーによって現像が行われ、イエロー画像用の画像形成ステーションの現像器２ではイエロートナーによって現像が行われ、マゼンタ画像用の画像形成ステーションの現像器２ではマゼンタトナーによって現像が行われる。
【００２７】
クリーナユニット４は、現像・画像転写後における感光体ドラム３上の表面に残留したトナーを除去・回収するものである。
【００２８】
感光体ドラム３の上方に配置されている中間転写ベルトユニット６は、中間転写ベルト６１、中間転写ベルト駆動ローラ６２、中間転写ベルト従動ローラ６３、中間転写ローラ６４、および中間転写ベルトクリーニングユニット６５を備えている。中間転写ローラ６４はＹＭＣＫ用の各色に対応して４本設けられている。
【００２９】
中間転写ベルト駆動ローラ６２、中間転写ベルト従動ローラ６３、および中間転写ローラ６４は、中間転写ベルト６１を張架して回転駆動させる。また各中間転写ローラ６４は、感光体ドラム３のトナー像を中間転写ベルト６１上に転写するための転写バイアスを与える。
【００３０】
中間転写ベルト６１は、各感光体ドラム３に接触するように設けられている。そして、感光体ドラム３に形成された各色のトナー像が中間転写ベルト６１に順次的に重ねて転写されることによって、中間転写ベルト６１上にカラーのトナー像（多色トナー像）が形成されるようになっている。中間転写ベルト６１は、例えば厚さ１００μｍ〜１５０μｍ程度のフィルムを用いて無端状に形成されている。
【００３１】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では、中間転写ベルト６１に電圧を印加する手段として中間転写ローラ６４を用いているが、それ以外に導電性ブラシなども用いることが可能である。
【００３２】
上述のように、各感光体ドラム３上で各色に応じて顕像化されたトナー像は中間転写ベルト６１にて積層される。積層されたトナー像は、中間転写ベルト６１の回転によって、転写ローラ１０と中間転写ベルト６１との接触位置（２次転写位置）に搬送され、この接触位置において転写ローラ１０によって用紙上に転写される。
【００３３】
転写ローラ１０は、中間転写ベルト６１に対して所定ニップで圧接されると共に、トナーを用紙に転写させるための電圧が印加される（トナーの帯電極性（−）とは逆極性（＋）の高電圧）。さらに、上記所定ニップを定常的に得るために、転写ローラ１０もしくは中間転写ベルト駆動ローラ６２の何れか一方を硬質材料（金属）からなるローラとし、他方を軟質材料からなるローラ（弾性ゴムローラまたは発泡性樹脂ローラ）とする。
【００３４】
また、転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触するクリーニング部材としてクリーニングブレードが備えられており、中間転写ベルト６１におけるクリーニングブレードが接触する部分は、裏側から中間転写ベルト従動ローラ６３で支持されている。
【００３５】
給紙トレイ（給紙カセット）８１は、画像形成（印刷）に使用する用紙を載置するトレイであり、画像形成装置１１０において露光ユニット１の下側に設けられている。また、利用者は、手差トレイ８２にも画像形成（印刷）に使用する用紙を載置することが可能になっている。画像形成装置１１０の上方に設けられている第２排紙トレイ９１は、印刷済みの用紙をフェイスダウンで集積するためのトレイである。
【００３６】
また、画像形成装置１１０には、給紙トレイ８１および手差トレイ８２の用紙を、転写ローラ１０や定着ユニット７を経由させて第２排紙トレイ９１に送るための、略垂直形状のシート搬送路（用紙搬送路）Ｓが設けられている。給紙トレイ８１または手差トレイ８２から第２排紙トレイ９１までのシート搬送路Ｓの近傍には、ピックアップローラ１１ａ，１１ｂ、複数の搬送ローラ１２ａ〜１２ｄ，レジストローラ１３、転写ローラ１０、定着ユニット７が配されている。
【００３７】
搬送ローラ１２ａ〜１２ｄは、用紙の搬送を促進・補助するための小型のローラであり、シート搬送路Ｓに沿って複数設けられている。ピックアップローラ１１ａは、給紙トレイ８１の端部近傍に取り付けられ、給紙トレイ８１に載置されている用紙をピックアップしてシート搬送路Ｓに供給する。ピックアップローラ１１ｂは、手差トレイ８２の端部近傍に取り付けられ、手差トレイ８２に載置されている用紙をピックアップしてシート搬送路Ｓに供給する。また、レジストローラ１３は、シート搬送路Ｓに搬送されている用紙を一旦保持するものである。そして、レジストローラ１３は、中間転写ベルト６１に形成されているトナー像の先端と用紙の先端とが合わさるようなタイミングで、用紙を２次転写位置に搬送する機能を有している。
【００３８】
定着ユニット７は、ヒートローラ７１および加圧ローラ７２を備えている。ヒートローラ７１および加圧ローラ７２は、用紙を挟んで回転するようになっている。またヒートローラ７１は、図示しない温度検出器からの信号に基づいて制御部１５０（後述する）によって所定の定着温度となるように設定されており、加圧ローラ７２とともにトナーを用紙に熱圧着することにより、用紙に転写された多色トナー像を溶融・混合・圧接し、用紙に対して熱定着させる機能を有している。また、定着ユニット７には、ヒートローラ７１を外部から加熱するための外部加熱ベルト７３が設けられている。
【００３９】
つぎに、片面印字時の用紙搬送について詳細に説明する。上述のように、画像形成装置１１０には、予め用紙を収納する給紙トレイ８１、手差トレイ８２が設けられている。これら給紙トレイ８１、手差トレイ８２から用紙を給紙するために、各々ピックアップローラ１１ａ，１１ｂが配置され、用紙をシート搬送路Ｓに導くようになっている。給紙トレイ８１，手差トレイ８２から搬送される用紙は、シート搬送路Ｓの搬送ローラ１２ａによってレジストローラ１３まで搬送され、用紙の先端と中間転写ベルト６１上のトナー像の先端とが合わさるタイミングで２次転写位置に搬送される。２次転写位置において、中間転写ベルト６１から用紙へトナー像が転写される。その後、用紙が定着ユニット７を通過することによって用紙上の未定着トナーが熱で溶融・固着される。定着処理の行われた後の用紙は、定着ユニット７よりも用紙搬送方向の下流側に設置される搬送ローラ１２ｂによって第２排紙トレイ９１上に排出される。
【００４０】
両面印字時の場合、上記のように片面印字が終了し定着ユニット７を通過した用紙の後端が搬送ローラ１２ｂで把持されたときに、搬送ローラ１２ｂが逆回転することによって用紙を搬送ローラ１２ｃ，１２ｄの設置位置に導く。用紙は、搬送ローラ１２ｃ，１２ｄによってレジストローラ１３の設置位置に搬送され、用紙裏面に画像の印刷が行われた後に第２排紙トレイ９１に排出される。
【００４１】
（電子ペーパについて）
本実施形態の複合機１００は、原稿の画像を撮像して画像データを生成する機能、用紙へ画像を印刷する機能の他、電子ペーパとの間で無線通信（非接触通信）する機能を有している。具体的に、複合機１００には、電子ペーパＥとの間で無線通信の可能な第１通信装置１２３（図２参照）と第２通信装置１３３（図３参照）とが設置されている。以下では、まず、本実施形態の電子ペーパの構成について説明し、その後、第１通信装置１２３および第２通信装置１３３について説明する。
【００４２】
本実施形態の電子ペーパＥは、画像表示用の液晶層を一対の樹脂フィルムで挟んだものであって、厚み０．３ｍｍ程度の平板状且つフレキシブルな画像表示媒体である。電子ペーパＥは、図４に示すように、液晶表示部１０４と無線通信ユニット１０１と記憶部１０２とＩＣチップ１０３とを有する。
【００４３】
液晶表示部１０４は、画像の書き換え時のみ電力を必要とし、電圧無印加でカラー画像を表示し続けるメモリ性を有するディスプレィであり、例えばカイラルネマティック液晶が用いられる。
【００４４】
記憶部１０２は、情報（データ）の記憶・消去を行える記憶領域である。また、記憶部１０２に記憶されている情報は、後述するＩＣチップ１０３によって読み出し可能になっている。なお、記憶部１０２に記憶される情報には、液晶表示部１０４に表示される画像の画像データ、当該画像データに関する情報、電子ペーパＥの識別情報（ＩＤ）等が含まれる。
【００４５】
無線通信ユニット１０１は、コイルアンテナを備えており、複合機１００に設置される第１通信装置１２３（図２参照）または第２通信装置１３３（図３参照）との間で無線通信（非接触通信）による情報の送受信を行うことが可能になっている。また、無線通信ユニット１０１は、複合機１００に設置される第１通信装置１２３または第２通信装置１３３のコイルアンテナとの間で電磁誘導によって起電力を発生し、この起電力を記憶部１０２、ＩＣチップ１０３や液晶表示部１０４に供給するようにもなっている。
【００４６】
ＩＣチップ１０３は、液晶表示部１０４、無線通信ユニット１０１、記憶部１０２を制御する集積回路である。具体的に、ＩＣチップ１０３は、電子ペーパＥが第１通信装置１２３または第２通信装置１３３の通信圏内に入ると、無線通信ユニット１０１から電力を受けて駆動可能になる。そして、ＩＣチップ１０３は、無線通信ユニット１０１を制御して、第１通信装置１２３または第２通信装置１３３と通信を行い、第１通信装置１２３または第２通信装置１３３を記憶部１０２にアクセスさせるようになっている。つまり、第１通信装置１２３または第２通信装置１３３は、電子ペーパＥの記憶部１０２に情報・データを記録することが可能であり、また、電子ペーパＥの記憶部１０２に記憶されている情報・データを読み出し可能になっている。
【００４７】
さらに、ＩＣチップ１０３は、記憶部１０２に記憶されている画像データの画像を液晶表示部１０４に表示するようになっている。また、記憶部１０２に記憶されている画像データが書き換えられると、ＩＣチップ１０３は、書き換えられた後の画像データの画像を液晶表示部１０４に表示するようになっている。
【００４８】
なお、電子ペーパＥに小型の電源を備え、当該電源の電力によって記憶部１０２、ＩＣチップ１０３および液晶表示部１０４が駆動するようになっていてもよい。
【００４９】
（通信装置について）
つぎに、本実施形態の複合機１００に設置される第１通信装置１２３および第２通信装置１３３について説明する。
【００５０】
第１通信装置１２３は、図２に示すように、原稿トレイ２１において、ピックアップローラ（原稿給紙ローラ）２４よりも原稿搬送方向の上流側に設置されている。第１通信装置１２３は、通信距離の短い近接無線転送装置であり、電子ペーパＥの無線通信ユニット１０１が第１通信装置１２３の通信圏内に入った場合、電子ペーパＥと無線接続するようになっている。
【００５１】
より具体的に説明すると、第１通信装置１２３は、所定の向きで電子ペーパＥが原稿トレイ２１に載置された場合に限って原稿トレイ２１に載置されている電子ペーパＥと無線接続されることになるが、それ以外の場合は電子ペーパＥと無線接続しない。したがって、第１通信装置１２３は、誤った向きで電子ペーパＥを原稿トレイ２１に載置した場合や電子ペーパＥを単に原稿トレイ２１に近づけただけでは電子ペーパＥと無線接続せず、中間トレイ３３、第１排紙トレイ２２、給紙トレイ８１、手差トレイ８２、第２排紙トレイ９１に載置されている電子ペーパＥとも無線接続しない。
【００５２】
また、第１通信装置１２３と電子ペーパＥとが無線接続した場合、第１通信装置１２３は、まず、電子ペーパＥの識別情報を電子ペーパＥから読み出すようになっている。
【００５３】
つぎに、第２通信装置（記録用通信装置）１３３について説明する。第２通信装置１３３は、図３に示すように、手差トレイ８２に設置されている。第２通信装置１３３は、第１通信装置１２３と同様に通信距離の短い近接無線転送装置であり、電子ペーパＥの無線通信ユニット１０１が第２通信装置１３３の通信圏内に入った場合、電子ペーパＥと無線接続するようになっている。
【００５４】
より具体的に説明すると、第２通信装置１３３は、所定の向きで電子ペーパＥが手差トレイ８２に載置された場合に限って手差トレイ８２に載置されている電子ペーパＥと無線接続されることになるが、それ以外の場合は電子ペーパＥと無線接続しないようになっている。したがって、第２通信装置１３３は、誤った向きで電子ペーパＥを手差トレイ８２に載置した場合や電子ペーパＥを単に手差トレイ８２に近づけただけでは電子ペーパＥと無線接続せず、原稿トレイ２１、中間トレイ３３、第１排紙トレイ２２、給紙トレイ８１、第２排紙トレイ９１に載置されている電子ペーパＥとも無線接続しない。
【００５５】
また、第２通信装置１３３と電子ペーパＥとが無線接続した場合、第２通信装置１３３は、まず、電子ペーパＥの識別情報を電子ペーパＥから読み出すようになっている。
【００５６】
なお、上述した第１通信装置１２３および第２通信装置１３３としては、例えば、通信距離が３ｃｍであって通信速度が３７５〜５６０ＭｂｐｓのＴｒａｎｓｆｅｒＪｅｔ（登録商標）、通信距離が１０ｃｍであって通信速度が１００〜４００ＫｂｐｓのＦｅｌｉｃａ（登録商標）を用いることができる。
【００５７】
（複合機の各ハードウェアについて）
つぎに、複合機１００に含まれる各ハードウェアについて図５を参照して説明する。図５に示すように、複合機１００は制御部１５０を有しており、制御部１５０は、第１通信装置１２３、第２通信装置１３３、原稿搬送部２００、スキャナ部１９１、用紙搬送部１６０、転写部１７０、操作部１８０、表示部１９０、記憶装置１９５、メモリ１９６に接続されている。
【００５８】
第１通信装置１２３、第２通信装置１３３、スキャナ部１９１については、既に説明済であるため、ここではその説明を省略する。
【００５９】
図５における原稿搬送部２００は、原稿自動搬送装置１２０の原稿搬送経路２３に原稿を送り込み且つ当該原稿を原稿搬送経路２３にて搬送するための各種ローラを指す。具体的には、ピックアップローラ２４、捌きローラ２５、レジストローラ対２７、搬送ローラ対２８、排紙ローラ対２９が原稿搬送部２００に相当する。
【００６０】
図５における用紙搬送部１６０は、画像形成装置１１０のシート搬送路Ｓに用紙を送り込み且つ当該用紙をシート搬送路Ｓにて搬送させるための各種ローラを指す。具体的には、搬送ローラ１２ａ〜１２ｄ、ピックアップローラ１１ａ，１１ｂ、レジストローラ１３が用紙搬送部１６０に相当する。
【００６１】
また、図５における転写部１７０は、シート搬送路Ｓにて搬送されている用紙へ画像を印刷するための各種装置を指す。具体的には、露光ユニット１、現像器２、感光体ドラム３、帯電器５、クリーナユニット４、定着ユニット７、転写ローラ１０、中間転写ベルト駆動ローラ６２、中間転写ローラ６４が転写部１７０に該当する。
【００６２】
図５の表示部１９０は、複合機１００の操作パネル（不図示）に形成されているディスプレィを指すものであり、複合機１００を操作するために必要な操作情報，設定画面，印刷画像のプレビュー等を表示するためのものである。また、前記のディスプレィにはタッチパネルが構成されている。
【００６３】
操作部１８０は、前記の操作パネルに形成されている各種入力キー、および、前記タッチパネルを指すものであり、複合機１００に対する各種コマンドを利用者に入力させるためのものである。
【００６４】
記憶装置１９５は、複合機１００にて扱われる画像データや各種情報が保存されるハードディスク装置を指すものである。メモリ１９６は、プログラムや処理中の情報が記憶される記憶領域である。
【００６５】
制御部１５０は、複合機１００を制御するためのコンピュータであり、接続されている各種ハードウェアを制御して複合機１００に各種処理を実行させるようになっている。つまり、制御部１５０は、原稿搬送部２００およびスキャナ部１９１にスキャンを実行させ、また、転写部１７０および用紙搬送部１６０に印刷処理を実行させる。
【００６６】
また、制御部１５０は、原稿トレイ２１に載置されている電子ペーパＥから画像データを読み取る画像読取処理を第１通信装置１２３に実行させ、手差トレイ８２に載置されている電子ペーパＥへ画像データを記録する画像記録処理を第２通信装置１３３に実行させるようになっている。
【００６７】
さらに、制御部１５０は、第１通信装置１２３を画像読取処理に用いるものの画像記録処理には用いず、第２通信装置１３３を画像記録処理に用いるものの画像読取処理には用いないように設定されている。したがって、原稿トレイ２１は、画像読取処理に使用する電子ペーパＥを載置するための載置部として利用されるが、画像記録処理に使用する電子ペーパＥを載置するための載置部としては利用されず、手差トレイ８２は、画像記録処理に使用する電子ペーパＥを載置するための載置部として利用されるが、画像読取処理に使用する電子ペーパＥを載置するための載置部としては利用されない。
【００６８】
つまり、本実施形態の複合機１００では、画像入力（スキャン，画像読取処理）に利用される媒体（原稿、電子ペーパ）は原稿トレイ２１に載置され、画像出力（印刷，画像記録処理）に利用される媒体（印刷用紙，電子ペーパ）は手差トレイ８２に載置されることになる。このようにしているのは、類似する処理同士で媒体の載置場所を共通させることで、利用者にとって電子ペーパの載置場所が分かり易くするためである。
【００６９】
なお、第１通信装置１２３は、画像記録処理には用いられないが、これは画像データの記録に用いられないという事であって、必要に応じて、原稿トレイ２１上の電子ペーパＥに対して画像データ以外の情報の記録を行えるようになっている。また、第２通信装置１３３は、画像読取処理には用いられないが、これは画像データの読取に用いられないという事であって、必要に応じて、手差トレイ８２上の電子ペーパＥから画像データ以外の情報の読み出しを行えるようになっている。
【００７０】
（処理の流れについて）
つぎに、複合機１００にて実行される処理の流れを図６に基づいて説明する。まず、第１通信装置１２３および第２通信装置１３３のいずれかによって電子ペーパＥの識別情報が読み出されていない状態の場合、制御部１５０はジョブ開始キーの押下を待機し続ける（Ｓ１，Ｓ２，およびＳ３にてＮＯ）。ジョブ開始キーが押されると（Ｓ３にてＹＥＳ）、制御部１５０は、予め設定されているジョブを実行し、処理を終了するようになっている（Ｓ４）。なお、Ｓ４にて実行されるジョブには、（ａ）外部装置から受信した画像データの画像を画像形成装置１１０にて印刷するジョブ、（ｂ）画像入力装置９０にてスキャン処理をして画像データを生成し、この画像データを記憶装置１９５に記憶するジョブ、（ｃ）前記スキャン処理にて生成された画像データを外部装置へ送信するジョブ、（ｄ）画像入力装置９０にてスキャン処理をして画像データを生成し、この画像データを画像形成装置１１０にて印刷するジョブ等がある。
【００７１】
これに対し、第２通信装置１３３が手差トレイ８２の載置物から電子ペーパＥの識別情報を読み取った場合（Ｓ１にてＹＥＳ）、制御部１５０は、複合機１００を画像記録モードへ移行させる（Ｓ５）。なお、第２通信装置１３３が手差トレイ８２の載置物から電子ペーパＥの識別情報を読み取るということは、手差トレイ８２に電子ペーパＥが載置されたことを意味している（手差トレイ８２の載置物が電子ペーパＥであることを意味している）。
【００７２】
また、第１通信装置１２３が原稿トレイ２１の載置物から電子ペーパＥの識別情報を読み取った場合、制御部１５０は、複合機１００を画像複写モードへ移行させるようになっている（Ｓ２にてＹＥＳ，Ｓ６）。なお、第１通信装置１２３が原稿トレイ２１の載置物から電子ペーパＥの識別情報を読み取るということは、原稿トレイ２１に電子ペーパＥが載置されたことを意味している（原稿トレイ２１の載置物が電子ペーパＥであることを意味している）。
【００７３】
ここで、Ｓ５の画像記録モードとは、画像入力装置９０のスキャナ部１９１によって入力された原稿画像の画像データまたは外部装置から受信した原稿画像の画像データを、第２通信装置１３３によって手差トレイ８２の電子ペーパＥに記録するモードである。Ｓ６の画像複写モードとは、原稿トレイ２１に載置されている電子ペーパＥから画像データを読み取る画像読取処理を第１通信装置１２３に実行させ、当該画像読取処理にて得られた画像データの画像を用紙へ印刷（複写）する処理を画像形成装置１１０に実行させるモードである。
【００７４】
（Ｓ５の画像記録モードの詳細）
つぎに、Ｓ５の画像記録モードについて、図７、図１１、図１２を参照して詳細に説明する。
【００７５】
図７は、図６のＳ５のサブルーチンを示すフローチャートである。図１１は、本実施形態において処理対象となる原稿画像を示す図である。より詳細に説明すると、図１１において、符号３００はオリジナルの原稿画像を示し、符号３００ａは電子ペーパＥの記憶部１０２に記憶される原稿画像を示し、符号３００ｂ〜３００ｄは電子ペーパＥに表示される原稿画像の例を示し、符号３００ｅは電子ペーパＥから用紙へ複写された原稿画像を示す。図１２は、原稿画像に対して複写禁止領域を設定する状況を説明するための図である。
【００７６】
図７に示すように、制御部１５０は、画像記録モードへ移行すると、電子ペーパＥへ記録する原稿画像の選択処理を利用者に行わせる（Ｓ５１）。この点について以下詳細に説明する。画像入力装置９０のスキャナ部１９１にて入力された原稿画像の画像データ、および、外部装置から受信した原稿画像の画像データが複合機１００の記憶装置１９５に記憶されている。そして、Ｓ５１において、制御部１５０は、記憶装置１９５に記憶されている原稿画像を表示部１９０に表示させ、利用者は、表示部１９０に表示される原稿画像のなかから、電子ペーパＥに記録する原稿画像を、操作部１８０からコマンド入力を行うことによって選択できるようになっている。具体的に説明すると、本実施形態では、図１１の原稿画像３００が利用者に選択され、後で説明する図７のＳ５４において、原稿画像３００を忠実に複製した原稿画像３００ａの画像データが電子ペーパＥの記憶部１０２に記録されるようになっている。
【００７７】
図１１の原稿画像３００が利用者に選択されると、制御部１５０は、画像記録モードにおける処理条件を設定するための記録条件設定画面を表示部１９０に表示する（Ｓ５２）。利用者は、記録条件設定画面が表示されている間（Ｓ５２）、画像記録モードにおける処理条件の設定処理を行えるようになっている。
【００７８】
ここで、Ｓ５２にて行われる設定処理としては、まず、複写禁止領域設定処理が挙げられる。複写禁止領域設定処理は、後に電子ペーパＥに記録する原稿画像のうち、利用者の所望する一部領域を複写禁止領域として設定する処理である。複写禁止領域とは、電子ペーパＥに記憶されている原稿画像を、電子ペーパＥから用紙へ複写する場合において、前記原稿画像の中の複写が禁じられている部分を指す。つまり、電子ペーパＥに記憶されている原稿画像の一部が複写禁止領域として設定されていると、電子ペーパＥに記憶されている原稿画像について電子ペーパＥから用紙への複写処理が行われる場合、複写禁止領域以外の画像部分は用紙へ複写されるが、複写禁止領域の画像部分は用紙へ複写されない。
【００７９】
つぎに、複写禁止領域設定処理の手順を説明する。まず、利用者が複写禁止領域設定処理を実行するコマンドを操作部１８０によって入力すると、電子ペーパＥへ記録される画像（Ｓ５１にて選択された画像）が表示部１９０に表示される。つまり、図１１の原稿画像３００が表示部１９０に表示されることになる。そして、利用者は、表示部１９０に表示されている原稿画像のうち、複写禁止領域を指定する指定コマンドを入力する。具体的には、図１２に示すように、複写禁止領域として指定する領域の始点と終点とをタッチすることによって前記指定コマンドを入力するようになっている。制御部１５０は、利用者にタッチされた始点と終点とを結ぶ直線を対角線とする矩形エリアを複写禁止領域として設定する。そして、制御部１５０は、複写禁止領域の位置（座標値）を示す複写禁止情報を生成し、当該情報をメモリ１９６に記憶するようになっている。本実施形態では、原稿画像３００の中の画像部分Ａ（図１１参照）が複写禁止領域として設定され、画像部分Ａの位置（座標値）を示す複写禁止情報がメモリ１９６に記憶されることになる。
【００８０】
さらに、本実施形態では、Ｓ５２において、複写禁止領域設定処理の他、利用者の任意で、第１の色設定処理（色付け処理）、第１の枠設定処理（枠取り処理）、表示禁止設定処理も行えるようになっている。以下では、第１の色設定処理、第１の枠設定処理、表示禁止設定処理を順に説明する。
【００８１】
第１の色設定処理とは、電子ペーパＥに記憶される原稿画像上の複写禁止領域の下地色を変更せずに、電子ペーパＥに表示される原稿画像上の複写禁止領域の下地色を、利用者の指定する下地色に設定する処理を指す。例えば、図１１に示すように、原稿画像３００の画像部分Ａが複写禁止領域として設定され、画像部分Ａの表示下地色として利用者にグレーが指定された場合、電子ペーパＥに記憶される原稿画像３００ａの画像部分Ａの下地色は変更されず、電子ペーパＥに表示される原稿画像３００ｂの画像部分Ａの下地色はグレーになる。
【００８２】
また、第１の色設定処理は以下のように行われる。まず、利用者は、表示部１９０に表示されている原稿画像３００のうち、色設定を行う複写禁止領域を指定し、且つ、当該複写禁止領域の下地色を指定する第１の色設定コマンドを操作部１８０から入力する（例えば、複写禁止領域の指定はタッチ等によって行われ、予め定められている複数の色から前記下地色が利用者に選択される）。制御部１５０は、第１の色設定コマンド（第１の色指定コマンド）に基づき、第１の色設定処理の対象となる複写禁止領域の位置と当該位置における下地色（利用者が指定した色）とを示した第１の色設定情報をメモリ１９６に記憶するようになっている。
【００８３】
つぎに、第１の枠設定処理について説明する。第１の枠設定処理とは、電子ペーパＥに表示される原稿画像上に、複写禁止領域を囲う枠を示す処理を指す。なお、第１枠設定処理によって設定される枠は、電子ペーパＥに表示される原稿画像上にて示されるものであるが、電子ペーパＥの記憶部１０２に記憶される原稿画像の画像データに反映されるものではない。例えば、図１１に示すように、原稿画像３００の画像部分Ａが複写禁止領域として設定され、画像部分Ａに対して枠設定が行われた場合、電子ペーパＥの記憶部１０２に保存される原稿画像３００ａ上には枠が示されていないものの、電子ペーパＥに表示される原稿画像３００ｃには画像部分Ａを囲う枠（図の点線）が示される。
【００８４】
また、第１の枠設定処理は以下のように行われる。まず、利用者が、枠設定を行う複写禁止領域を指示する第１の枠設定コマンドを入力する（例えば、複写禁止領域の指定はタッチ等によって行われる）。制御部１５０は、第１の枠設定コマンドに基づき、第１の枠設定処理の対象となる複写禁止領域の位置を示した第１の枠設定情報をメモリ１９６に記憶するようになっている。
【００８５】
つぎに、表示禁止設定処理について説明する。表示禁止設定処理とは、電子ペーパＥに表示される原稿画像の複写禁止領域には、本来の画像を示さず、下地色のみを示す処理を指す。つまり、ある複写禁止領域に対して表示禁止設定処理を行うと、電子ペーパＥの記憶部１０２に記憶される原稿画像のうち、前記複写禁止領域以外の領域の画像は電子ペーパＥに表示されるが、前記複写禁止領域の画像は表示されず、代わりに下地色のみが示されることになる。例えば、図１１に示すように、原稿画像３００の画像部分Ａが複写禁止領域として設定され、画像部分Ａに対して消去設定がなされた場合、電子ペーパＥの記憶部１０２に保存される原稿画像３００ａにおいて複写禁止領域の画像は消去されていないものの、電子ペーパＥに表示される原稿画像３００ｄにおいて複写禁止領域の画像は消去され、消去された箇所は下地色が示されることになる。なお、本実施形態のように、原稿画像３００が白色用紙を下地とする文書画像の場合、下地色は白色である。
【００８６】
また、表示禁止設定処理は以下のように行われる。まず、利用者が、表示禁止設定処理を行う複写禁止領域を指示する表示禁止設定コマンドを操作部１８０から入力する（例えば、複写禁止領域の指定はタッチ等によって行われる）。制御部１５０は、表示禁止設定コマンドに基づき、表示禁止設定処理の対象となる複写禁止領域の位置を示した表示禁止設定情報をメモリ１９６に記憶するようになっている。
【００８７】
Ｓ５２の記録条件設定画面の表示期間中は、以上示した各種の設定処理が利用者の任意で実行されることになる。また、そして、Ｓ５２の記録条件設定画面の表示期間中、制御部１５０は操作部１８０のジョブ開始キーの押下を待機している（Ｓ５３にてＮＯ）。ジョブ開始キーが押されると（Ｓ５３にてＹＥＳ）、制御部１５０は、記録条件設定画面の表示を終了し、画像記録処理を第２通信装置１３３に実行させる（Ｓ５４）。Ｓ５４の画像記録処理では、原稿画像の画像データだけではなく、Ｓ５２の期間中に設定された各情報も電子ペーパＥに記録される。Ｓ５４の画像記録処理の詳細は後に詳述する。
【００８８】
Ｓ５４の後、制御部１５０は、電子ペーパＥに対する画像記録終了を示すメッセージを表示部１９０に表示させ（Ｓ５５）、画像記録モードを終了する。
【００８９】
（Ｓ５４の画像記録処理の詳細）
つぎに、図８に基づき、Ｓ５４の画像記録処理の詳細を説明する。図８は、図７のＳ５４の画像記録処理のサブルーチンを示すフローチャートである。
【００９０】
制御部１５０は、ジョブ開始キーが押されると（図７のＳ５３にてＹＥＳ）、手差トレイ８２の電子ペーパＥに対して画像データを記録する処理を第２通信装置１３３に行わせる（図８のＳ５４１）。本実施形態では、利用者に選択された原稿画像３００を忠実に複製した原稿画像３００ａの画像データが電子ペーパＥの記憶部１０２に記録されるようになっている。
【００９１】
その後、制御部１５０は、メモリ１９６に複写禁止情報が記憶されているか否かを判定する（Ｓ５４２）。そして、制御部１５０は、メモリ１９６に複写禁止情報が記憶されていなければそのまま処理をＳ５４４に移行する（Ｓ５４２においてＮＯ）。これに対し、制御部１５０は、メモリ１９６に複写禁止情報が記憶されている場合（Ｓ５４２においてＹＥＳ）、複写禁止情報を電子ペーパＥに記録する処理を第２通信装置１３３に行わせ（Ｓ５４３）、その後にＳ５４４に移行するようになっている。なお、Ｓ５４３において、複写禁止情報は原稿画像の画像データの付加情報として電子ペーパＥに記録されるようになっている。ここで、付加情報とは、前記画像データに付加される情報であり、前記画像データを読み取った制御装置（制御部１５０,ＩＣチップ１０３，コンピュータ等）に対する指示を示した制御情報である。つまり、前記画像データを読み取った制御装置は、付加情報も共に読み取るようになっており、付加情報に示される指示を実行するようになっている。また、前記画像データが画像ファイルの一部に組み込まれ、当該画像ファイルが電子ペーパＥに記憶されるようになっている場合、前記付加情報は前記画像ファイルのヘッダ領域に記憶されている。
【００９２】
Ｓ５４４において、制御部１５０は、第１の色設定情報がメモリ１９６に記憶されているか否かを判定する。そして、制御部１５０は、メモリ１９６に第１の色設定情報が記憶されていなければそのまま処理をＳ５４６に移行する（Ｓ５４４においてＮＯ）。これに対し、制御部１５０は、メモリ１９６に第１の色設定情報が記憶されている場合（Ｓ５４４においてＹＥＳ）、第１の色設定情報を電子ペーパＥに記録する処理を第２通信装置１３３に行わせ（Ｓ５４５）、その後にＳ５４６に移行するようになっている。なお、Ｓ５４５において、第１の色設定情報は原稿画像３００の画像データの付加情報として電子ペーパＥに記録されるようになっている。
【００９３】
また、Ｓ５４６において、制御部１５０は、第１の枠設定情報がメモリ１９６に記憶されているか否かを判定する。そして、制御部１５０は、メモリ１９６に第１の枠設定情報が記憶されていなければそのまま処理をＳ５４８に移行する（Ｓ５４６においてＮＯ）。これに対し、制御部１５０は、メモリ１９６に第１の枠設定情報が記憶されている場合（Ｓ５４６においてＹＥＳ）、電子ペーパＥに対する第１の枠設定情報の記録処理を第２通信装置１３３に行わせ（Ｓ５４７）、その後に処理をＳ５４８に移行するようになっている。なお、Ｓ５４７において、第１の枠設定情報は原稿画像３００の画像データの付加情報として電子ペーパＥに記録されるようになっている。
【００９４】
さらに、Ｓ５４８において、制御部１５０は、表示禁止設定情報がメモリ１９６に記憶されているか否かを判定する。そして、制御部１５０は、メモリ１９６に表示禁止設定情報が記憶されていなければそのまま処理を図７のＳ２５に移行する（Ｓ５４８においてＮＯ）。これに対し、制御部１５０は、メモリ１９６に表示禁止設定情報が記憶されている場合（Ｓ５４８においてＹＥＳ）、電子ペーパＥに対する表示禁止設定情報の記録処理を第２通信装置１３３に行わせ（Ｓ５４９）、その後に処理を図７のＳ５５に移行する。
【００９５】
以上のようにして、図７のＳ５４の画像記録処理が完了し、さらに、Ｓ５５を経由して画像記録モード（図５のＳ５）が完了することになる。これにより、電子ペーパＥの記憶部１０２には原稿画像３００ａの画像データが記憶される。また、複写禁止情報、第１の色設定情報、第１の枠設定情報、表示禁止設定情報が生成されている場合、これら情報は原稿画像の画像データの付加情報として電子ペーパＥの記憶部１０２に記憶されるようになっている。
【００９６】
また、以上のようにして電子ペーパＥの記憶部１０２に画像データが記憶されると、電子ペーパＥの液晶表示部１０４には当該画像データの画像が表示されるようになる。以下では、この表示について詳細に説明する。
【００９７】
（電子ペーパＥの画像表示）
電子ペーパＥのＩＣチップ１０３は、記憶部１０２に記憶されている画像データの画像を液晶表示部１０４に表示するようになっている。つまり、図１１に示すように、電子ペーパＥの記憶部１０２には、オリジナルの原稿画像３００に忠実な原稿画像３００ａの画像データが記憶されているため、前記の第１の色設定情報，第１の枠設定情報，表示禁止設定情報が記憶されていなければ、オリジナルの原稿画像３００に忠実な原稿画像３００ａが液晶表示部１０４に表示されるようになっている。
【００９８】
これに対し、ＩＣチップ１０３は、第１の色設定情報、第１の枠設定情報、表示禁止設定情報の少なくともいずれかが記憶部１０２に記憶されている場合、記憶部１０２に記憶されている画像データの画像をそのまま液晶表示部１０４に表示するのではなく、第１の色設定情報，第１の枠設定情報，表示禁止設定情報に従って加工した画像を液晶表示部１０４に表示させるようになっている。
【００９９】
つまり、複写禁止領域である画像部分Ａの位置とグレー（利用者の指定色）とを示す第１の色設定情報が電子ペーパＥの記憶部１０２に記憶されている場合、ＩＣチップ１０３は、記憶部１０２に記憶されている画像データの原稿画像３００ａをそのまま液晶表示部１０４に表示するのではなく、図１１に示すように、第１の色設定情報に従って画像部分Ａの下地色をグレーにした原稿画像３００ｂを液晶表示部１０４に表示させることになる（電子ペーパＥの記憶部１０２には原稿画像３００ａが記憶されているが、液晶表示部１０４には原稿画像３００ｂが表示されることになる）。つまり、第１の色設定情報は、電子ペーパＥに表示される原稿画像のうち、複写禁止領域に対応する部分の下地色を利用者に指定された下地色にすることを、電子ペーパＥのＩＣチップ１０３に指示する制御情報として機能するものである。
【０１００】
また、複写禁止領域である画像部分Ａの位置を示す第１の枠設定情報が電子ペーパＥの記憶部１０２に記憶されている場合、ＩＣチップ１０３は、記憶部１０２に記憶されている画像データの原稿画像３００ａをそのまま液晶表示部１０４に表示するのではなく、図１１に示すように、第１の枠設定情報に従って画像部分Ａを囲う枠（図の点線）を示した原稿画像３００ｃを液晶表示部１０４に表示させることになる（電子ペーパＥの記憶部１０２には原稿画像３００ａが記憶されているが、液晶表示部１０４には原稿画像３００ｃが表示されることになる）。つまり、第１の枠設定情報は、電子ペーパＥに表示される原稿画像において複写禁止領域に対応する部分を囲う枠を示すことを、電子ペーパＥのＩＣチップ１０３に指示する制御情報として機能するものである。
【０１０１】
さらに、画像部分Ａの位置を示す表示禁止設定情報が電子ペーパＥの記憶部１０２に記憶されている場合、ＩＣチップ１０３は、記憶部１０２に記憶されている画像データの原稿画像３００ａをそのまま液晶表示部１０４に表示するのではなく、図１１に示すように、表示禁止設定情報に従って画像部分Ａの画像を消去するとともに消去部分を下地色で示した原稿画像３００ｄを液晶表示部１０４に表示させることになる（電子ペーパＥの記憶部１０２には原稿画像３００ａが記憶されているが、液晶表示部１０４には、原稿画像３００ｄが表示されることになる）。つまり、表示禁止設定情報は、電子ペーパＥに表示される画像の中の前記複写禁止領域に対応する部分の画像の表示を禁止することを、電子ペーパＥのＩＣチップ１０３に指示する制御情報として機能するものである。
【０１０２】
（Ｓ６の画像複写モードの詳細）
つぎに、図６のＳ６の画像複写モードについて、図９、図１０、図１１を参照して詳細に説明する。なお、前述した画像記録モード（図６のＳ５）では、手差トレイ８２に載置されている電子ペーパＥに原稿画像３００ａを記録する処理が行われたが、その後、当該電子ペーパＥが原稿トレイ２１に載置されて画像複写モードに移行したものとし、下記の画像複写モードでは当該電子ペーパＥから画像データが読み出されるものとする。
【０１０３】
図９は、図６のＳ６のサブルーチンを示すフローチャートである。図９に示すように、制御部１５０は、画像複写モードへ移行すると、複写処理の処理条件の設定処理を利用者に行わせるための複写条件設定画面を表示部１９０に表示する（Ｓ６１）。利用者は、複写条件設定画面が表示されている間（Ｓ６１）、複写モードにおける処理条件の設定処理を行えるようになっている。Ｓ６１において設定される処理条件としては、例えば、複写部数、カラー印刷、モノクロ印刷、変倍率等がある。
【０１０４】
また、複写条件設定画面が表示されている間（Ｓ６１）、利用者は、現在設定されている複写禁止領域をキャンセルする設定解除処理、新たな複写禁止領域を設定する再設定処理を行えるようになっている。以下ではこの点について説明する。
【０１０５】
前記設定解除処理を行う場合、利用者は操作部１８０を介して設定解除コマンドを入力するようになっている。この設定解除コマンドが入力されると、制御部１５０は、第１通信装置１２３によって電子ペーパＥの記憶部１０２にアクセスし、記憶部１０２に記憶されている複写禁止情報、第１の色設定情報，第１の枠設定情報，表示禁止情報を消去するようになっている。これにより、複写禁止領域の設定が解除され、第１色設定情報，第１枠設定情報，消去設定情報が消去され、電子ペーパＥに表示される画像は記憶部１０２に記憶されている画像データの画像に忠実になる。
【０１０６】
また、Ｓ６１において、以上の設定解除処理が行われた後、利用者は、複写禁止領域の再設定処理を任意で行うことが可能である。つまり、以上の設定解除処理が行われた後、前述した複写禁止領域設定処理、第１の色設定処理、第１の枠設定処理、表示禁止設定処理を行えるようになっている。これにより、前記設定解除処理にて解除された複写禁止領域とは異なる複写禁止領域を設定することが可能になる。
【０１０７】
また、Ｓ６１の複写条件設定画面の表示期間中、制御部１５０は操作部１８０のジョブ開始キーの押下を待機している（Ｓ６２にてＮＯ）。この複写条件設定画面の表示期間中、利用者は、以上示したように、複写処理の処理条件の設定、複写禁止領域の設定解除処理、複写禁止領域の再設定処理を行えるようになっている。なお、複写条件設定画面の表示期間中、図９では示されていないが、利用者から終了コマンドが入力されると、Ｓ６３以降の処理が行われずに画像複写モードが終了されるようになっている。
【０１０８】
そして、複写条件設定画面の表示期間中にジョブ開始キーが押されると（Ｓ６２にてＹＥＳ）、制御部１５０は、複写条件設定画面の表示を終了し、第１通信装置１２３および画像形成装置１１０に複写処理を実行させる（Ｓ６３）。ここで、Ｓ６３の複写処理とは、第１通信装置１２３が原稿トレイ２１の電子ペーパＥから画像データを読み取り、画像形成装置１１０が当該画像データの画像を用紙に印刷する処理を指す。Ｓ６３の複写処理の詳細は後に詳述する。
【０１０９】
Ｓ６３の後、制御部１５０は、画像複写終了を示すメッセージを表示部１９０に表示させ（Ｓ６４）、画像複写モードを終了する。
【０１１０】
（Ｓ６３の複写処理の詳細）
つぎに、図１０に基づき、Ｓ６３の複写処理の詳細を説明する。図１０は、図９のＳ６３の複写処理のサブルーチンを示すフローチャートである。
【０１１１】
制御部１５０は、ジョブ開始キーが押されると（図９のＳ６２にてＹＥＳ）、原稿トレイ２１に載置されている電子ペーパＥの記憶部１０２から画像データを読み取る処理を第１通信装置１２３に行わせる（図１０のＳ６３１）。本実施形態では、図１１に示される原稿画像３００ａの画像データが電子ペーパＥの記憶部１０２に記憶されているため、第１通信装置１２３は、電子ペーパＥの記憶部１０２から原稿画像３００ａの画像データを読み取ることになる。
【０１１２】
そして、制御部１５０は、第１通信装置１２３を制御して、電子ペーパＥの記憶部１０２に複写禁止情報が記録されているか否かを判定する（Ｓ６３２）。つまり、電子ペーパＥの記憶部１０２に記憶されている原稿画像３００ａの画像データに複写禁止情報が付加情報として付加されているか否かが判定される。
【０１１３】
電子ペーパＥの記憶部１０２に複写禁止領域情報が記録されていない場合（Ｓ６３２にてＮＯ）、制御部１５０は、Ｓ６３１にて読み取った画像データの画像を用紙へ印刷する印刷処理を画像形成装置１１０に実行させる（Ｓ６３５）。つまり、この場合、図１１に示される原稿画像３００ａが用紙に印刷され、用紙上に印刷された原稿画像３００ａにおいて画像部分Ａの画像も忠実に再現される。Ｓ６３５の印刷処理を終えると、制御部１５０は、図９のＳ６４を経由して画像複写モードを終了する。
【０１１４】
これに対し、電子ペーパＥの記憶部１０２に複写禁止情報が記録されている場合（Ｓ６３２にてＹＥＳ）、制御部１５０は、電子ペーパＥの記憶部１０２に記憶されている複写禁止情報を読み取る処理を第１通信装置１２３に実行させる（Ｓ６３３）。
【０１１５】
Ｓ６３３の後、制御部１５０は、複写禁止情報を参照して、Ｓ６３１にて読み取った画像データの画像のうち、複写禁止領域の画像を削除する処理を行う（Ｓ６３４）。ここで、複写禁止領域の画像の削除とは、複写禁止領域の画像を消去すると共に、消去された部分を下地色で示す処理を指す。より具体的に説明すると、本実施形態では、Ｓ６３１にて読み取った画像データの画像が白色用紙を下地とする原稿画像３００ａであるため（図１１参照）、複写禁止領域の印刷濃度値が全てゼロ（白色，下地色）になるように、Ｓ６３１にて読み取った画像データの中の複写禁止領域のデータを変換することになる。
【０１１６】
その後、制御部１５０は、Ｓ６３４の処理が施された後の画像データの画像を用紙に印刷する印刷処理を画像形成装置１１０に実行させるようになっている（Ｓ６３５）。本実施形態では、電子ペーパＥから図１１の原稿画像３００ａの画像データが読み出されるが、Ｓ６３４にて画像部分Ａの画像が消去されることになるため、図１１の原稿画像３００ｅが用紙に印刷されることになる。つまり、画像部分Ａに画像が示されている原稿画像３００ａが電子ペーパＥに記憶されている一方、画像部分Ａから画像が消去された原稿画像３００ｅが用紙に複写（印刷）されることになる。Ｓ６３５の印刷処理を終えると、制御部１５０は、図９のＳ６４を経由して画像複写モードを終了する。
【０１１７】
以上示したように、本実施形態の複合機（情報処理装置）１００において、制御部（記録部）１５０は、電子ペーパＥに記憶される画像データの画像の中の一部領域を複写禁止領域として指定する指定コマンドを受け付けると、電子ペーパＥに複写禁止情報を記録する処理を第２通信装置（記録部）１３３に行わせるようになっている（Ｓ５４３）。そして、複写禁止情報が記録された電子ペーパＥが原稿トレイ２１に載置されて画像複写モードに移行すると、複合機１００は、電子ペーパＥから画像データおよび複写禁止情報を読み出し、且つ、複写禁止情報に従って、この画像データの画像のうち、複写禁止領域の画像の複写を行わず、複写禁止領域以外の領域の画像を用紙へ複写するようになっている。つまり、前記の複写禁止情報は、電子ペーパＥから画像データを読み出して当該画像データの画像を用紙へ複写（印刷）する複写装置（本実施形態では複合機１００）に対して、当該画像データの画像の中の前記複写禁止領域の画像の複写を禁止することを指示する制御情報として機能している。
【０１１８】
以上の構成によれば、電子ペーパＥに記憶されている画像データの原稿画像が電子ペーパＥから用紙（複写用媒体）へ複写される際、利用者に指定された複写禁止領域の画像を複写させず、複写禁止領域以外の領域の画像のみ複写させるといったことが可能になる。
【０１１９】
また、本実施形態において、制御部１５０が第２通信装置１３３を制御して第１の色設定情報を電子ペーパＥに記録すると、電子ペーパＥのＩＣチップ１０３は、液晶表示部１０４にて表示される原稿画像の中の複写禁止領域に対応する部分の下地色が利用者に指定された色になるように表示制御を行うようになっている。これにより、例えば、図１１の原稿画像３００ｂのように、複写禁止領域である画像部分Ａの下地色と他の画像部分の下地色とを異ならせることができる。それゆえ、利用者からすれば、電子ペーパＥに表示されている画像のうち、どの部分が複写禁止領域であるかを把握することが容易になる。
【０１２０】
さらに、本実施形態において、制御部１５０が第２通信装置１３３を制御して第１の枠設定情報を電子ペーパＥに記録すると、電子ペーパＥのＩＣチップ１０３は、液晶表示部１０４にて表示される原稿画像において複写禁止領域を囲う枠が示されるように表示制御を行うようになっている。これにより、例えば、図１１の原稿画像３００ｃのように、複写禁止領域である画像部分Ａを囲う枠を表示させることができる。それゆえ、利用者からすれば、電子ペーパＥに表示されている画像のうち、どの部分が複写禁止領域であるかを把握することが容易になる。
【０１２１】
また、本実施形態において、制御部１５０が第２通信装置１３３を制御して表示禁止設定情報を電子ペーパＥに記録すると、電子ペーパＥのＩＣチップ１０３は、液晶表示部１０４において原稿画像のなかの複写禁止領域の画像が表示されず複写禁止領域以外の領域の画像が表示されるように表示制御を行うようになっている。これにより、例えば、図１１の原稿画像３００ｄのように、電子ペーパＥにおいて、複写禁止領域である画像部分Ａの画像を表示させず、それ以外の部分を表示させるといったことが可能になる。
さらに、Ｓ６１にて実行される設定解除処理において利用者が設定解除コマンドを入力すると、制御部１５０は、第２通信装置１３３を介して電子ペーパＥの記憶部１０２にアクセスして、複写禁止情報、第１の色設定情報、第１の枠設定情報、表示禁止設定情報を電子ペーパＥの記憶部１０２から削除するようになっている。これにより、表示禁止設定情報が電子ペーパＥに記憶されている間は電子ペーパＥに表示されなかった画像部分を再度電子ペーパＥに表示させることが可能になる。例えば、画像部分Ａを示した表示禁止設定情報が電子ペーパＥに記録されている間は図１１の原稿画像３００ｄが電子ペーパＥに表示され、表示禁止設定情報が電子ペーパＥから削除されると図１１の原稿画像３００ａが電子ペーパＥに表示されることになる。これにより、電子ペーパＥにおいて表示されている原稿画像から一時的に前記複写禁止領域の画像を消去するといった事が可能になる。
【０１２２】
また、以上の実施形態では言及がないが、（１）最初に手差トレイ８２に電子ペーパＥを載置して画像記録モード（Ｓ５）に移行させた後に原稿トレイ２１に電子ペーパＥ´を載置しても画像記録モードが維持され、画像複写モード（Ｓ６）には移行せず、（２）最初に原稿トレイ２１に電子ペーパＥを載置して画像複写モードに移行させた後に手差トレイ８２に電子ペーパＥ´を載置しても画像複写モードが維持され、画像記録モードには移行しない。
【０１２３】
（変形例）
本実施形態では、第１通信装置１２３および第２通信装置１３３との間で画像データを送受信する携帯型表示媒体として電子ペーパを用いたが、当該携帯型表示媒体は、画像を表示するものであって当該画像の画像データを無線通信にて受信且つ送信可能になっている携帯可能な媒体であればよく、電子ペーパに限定されるものではない。このような携帯型表示媒体としては、電子ペーパの他、電子ブック端末、スマートフォン、携帯情報端末が挙げられる。
【０１２４】
また、Ｓ６の画像複写モードでは、電子ペーパＥに記録されている画像データの画像を用紙へ複写するようになっているが、複写先の媒体は用紙に限定されるものではなく、電子ペーパＥ以外の電子ペーパＥ´やスマートフォン等の携帯型画像表示媒体であってもよい。例えば、電子ペーパＥに記録されている画像データの画像を電子ペーパＥ´に複写する場合、画像複写モードにおいて、最初に原稿トレイ２１に電子ペーパＥを載置して、図１０のＳ６３１にて電子ペーパＥから画像データを読み取り、この読み取り後、手差トレイ８２に電子ペーパＥ´を載置し、Ｓ６３５にて、印刷処理の代わりに、電子ペーパＥ´に画像データを記録（複写）するようになっていてもよい。この際、電子ペーパＥに複写禁止領域情報が記憶されている場合、複写禁止領域の画像が消去されると共に消去された箇所が下地色にて示されている画像データが電子ペーパＥ´に記録されるようになっている。
【０１２５】
また、図１１では示されていないが、単一の複写禁止領域に対して、色設定処理、枠設定処理、消去設定処理のうちの２以上の設定処理が重複して行われてもよい。例えば、電子ペーパＥに表示されている原稿画像において、或る複写禁止領域の下地色が利用者の所望色に設定され、且つ、当該複写禁止領域を囲う枠が示されるように、色設定処理および枠設定処理が行われてもよい。
【０１２６】
さらに、本実施形態では、原稿画像において単一の複写禁止領域が設定されただけであったが、複写禁止領域は複数個所に設定され、複数の複写禁止領域を示す複写禁止情報が電子ペーパＥに記録されるようになっていても構わない。また、複写禁止領域が複数設定された場合、複写禁止領域毎に、色設定処理、枠設定処理、消去設定処理の実行の有無を選択できるようになっている。また、複写禁止領域毎に、色設定処理にて設定される色を異ならせることも当然可能である。
【０１２７】
また、複写禁止領域の位置および範囲の少なくとも一方が各々異なる複数の複写禁止情報（複写禁止パターン）を電子ペーパＥに記録し、電子ペーパＥから用紙へ画像を複写する時において、複数の複写禁止情報のなかから所望の複写禁止情報を利用者に選択させ、利用者に選択された複写禁止情報に基づいて複写処理を行うような形態になっていてもよい。以下、この形態について説明する。
まず、この形態では、図７のＳ５２において、複写禁止領域の範囲（広さ）および位置の少なくとも一方が各々異なる複数の複写禁止情報が利用者によって設定される。ここでは、Ｓ５１にて図１４の原稿画像４００が選択されているものとし、Ｓ５２において、複写禁止領域Ｃを示す第１複写禁止情報と、複写禁止情報Ｄを示す第２複写禁止情報とが利用者に設定されたものとする。なお、複写禁止情報を複数設定する手法であるが、例えば、利用者がタッチによって所望の領域を指定し、確定ボタンを押すと、指定した領域を複写禁止領域として示した複写禁止情報が設定され、その後、同様の動作が繰り返されることで別の複写禁止情報が設定されるようになっている。
以上の設定が行われた後、Ｓ５４において、図１４に示す原稿画像４００と、複写禁止領域Ｃを示す第１複写禁止情報と、複写禁止情報Ｄを示す第２複写禁止情報とが電子ペーパＥに記録される。
その後、電子ペーパＥが原稿トレイ２１に載置されると、図９に示す画像複写モードに移行する。そして、Ｓ６１において、制御部１３０は複写条件設定画面を表示部１９０に表示するようになっているが、この複写条件設定画面には、複写禁止情報に基づいて複写される画像のプレビューが複写禁止情報毎に示されるようになっている。ここでは、図１４に示すように、複写禁止領域Ｃを示す第１複写禁止情報に基づいて複写を行う場合の複写物４００ｂのプレビューと、複写禁止領域Ｄを示す第２複写禁止情報に基づいて複写を行う場合の複写物４００ａのプレビューとが表示部１９０に表示される。つまり、原稿画像４００のうち複写禁止領域Ｃを印刷せずにそれ以外の領域を印刷する場合の複写物４００ｂのプレビューと、原稿画像４００のうち複写禁止領域Ｄを印刷せずにそれ以外の領域を印刷する場合の複写物４００ａのプレビューとが表示部１９０に表示される。
そして、利用者は、第１複写禁止情報および第２複写禁止情報のいずれかを選択することを示した選択コマンドを操作部１８０から入力するようになっている。具体的に、第１複写禁止情報に基づいて複写を行う場合の複写物４００ｂのプレビューを利用者がタッチ等によって選択すると、第１複写禁止情報を選択することを示した選択コマンドが制御部１５０に受け付けられるようになっており、第２複写禁止情報に基づいて複写を行う場合の複写物４００ａのプレビューを利用者がタッチ等によって選択すると、第２複写禁止情報を選択することを示した選択コマンドが制御部１５０に受け付けられるようになっている。
その後、利用者がジョブ開始キーを押すと（Ｓ６２）、制御部１５０は、複写条件設定画面の表示を終了し、第１通信装置１２３および画像形成装置１１０に複写処理を実行させる（Ｓ６３）。具体的に、制御部１５０は、原稿画像４００のうち、Ｓ６１の期間中に入力された選択コマンドによって選択されている複写禁止情報に示される複写禁止領域を印刷せずそれ以外の領域を印刷する処理を画像形成装置１１０に実行させる。つまり、複写禁止領域Ｃを示す第１複写禁止情報が選択コマンドにて選択されている場合、原稿画像４００のうち複写禁止領域Ｃが示されずそれ以外の領域が示された複写物４００ｂが複写され、複写禁止領域Ｄを示す第２複写禁止情報が選択されている場合、原稿画像４００のうち複写禁止領域Ｄが示されずそれ以外の領域が示された複写物４００ａが複写される。Ｓ６３の後、制御部１５０は、画像複写終了を示すメッセージを表示部１９０に表示させ（Ｓ６４）、画像複写モードを終了する。
以上の形態によれば、電子ペーパＥに記録されている単一の画像に基づいて、互いに複写禁止領域のパターンが異なる複数の複写物を出力できるという効果を奏する。例えば、図１４に示される原稿画像４００と、複写禁止領域Ｃを示した第１複写禁止情報と、複写禁止領域Ｄを示した第２複写禁止情報とが電子ペーパＥに記録されている場合を想定する。この場合において、第１複写禁止情報を選択することを示した選択コマンドが入力されると、原稿画像４００のうち複写禁止領域Ｃが示されずにそれ以外の領域が示された複写物４００ｂが出力され、第２複写禁止情報を選択することを示した選択コマンドが入力されると、原稿画像４００のうち複写禁止領域Ｄが示されずにそれ以外の領域が示された複写物４００ａが出力されることになる。つまり、利用者からすれば、電子ペーパＥの画像に基づいて複写物を出力するに際し、互いに複写禁止領域のパターンを異ならせる複数の複写物を出力させることを容易に実行できる。
【０１２８】
また、Ｓ６３の複写処理において、原稿画像の中の複写禁止領域の画像を印刷しないだけでなく、複写禁止領域の下地を利用者の所望色で印刷させる第２の色設定処理が行われてもよい。つまり、第２の色設定処理とは、電子ペーパＥに記憶される原稿画像上の複写禁止領域の下地色を変更せずに、電子ペーパＥから原稿画像が複写される用紙において複写禁止領域に対応する部分の下地色を、利用者の指定する下地色に設定する処理を指す。
【０１２９】
第２の色設定処理は以下のように行われる。まず、Ｓ５２において、利用者は、表示部１９０に表示されている原稿画像３００のうち、第２の色設定処理の対象となる複写禁止領域を指定し、且つ、当該複写禁止領域の下地色を指定する第２の色設定コマンドを操作部１８０から入力する（例えば、複写禁止領域の指定はタッチ等によって行われ、予め定められている複数の色から前記下地色が利用者に選択される）。制御部１５０は、第２の色設定コマンドに基づき、第２の色設定処理の対象となる複写禁止領域の位置と当該位置における下地色（利用者が指定した色）とを示した第２の色設定情報をメモリ１９６に記憶するようになっている。その後、Ｓ５４において、制御部１５０は第２の色設定情報を電子ペーパＥに記録するようになっている。そして、当該電子ペーパＥを用いて複写モードが実行される場合、図１０のＳ６３５において、制御部１５０は、電子ペーパＥに記録されている第２の色設定情報を参照して、印刷される原稿画像において複写禁止領域の下地色が利用者の指定色になるように印刷制御を行うようになっている。例えば、図１１に示すように、原稿画像３００の画像部分Ａが複写禁止領域として設定され、画像部分Ａの印刷下地色として利用者にグレーが指定された場合、電子ペーパＥに記憶される原稿画像３００ａの画像部分Ａの下地色は変更されず、図１３に示すように、電子ペーパＥから用紙へ複写（印刷）される原稿画像３００ｆにおいて画像部分Ａの下地色はグレーになる。これにより、電子ペーパＥから原稿画像が複写された用紙において前記複写禁止領域に対応する箇所の下地色を利用者が指定した色にできる。つまり、当該用紙において、前記複写禁止領域の下地色を他領域の下地色と異ならせることができ、複写禁止領域が設定されたが故に用紙において画像が複写されなかった部分があることを利用者に認識させることが可能になる。なお、第２の色設定処理において、電子ペーパＥに記録される第２の色設定情報は、用紙へ複写される原稿画像のうち、複写禁止領域に対応する部分の下地色を利用者に指定されている色にすることを複合機１００に指示する情報として機能している。
【０１３０】
また、Ｓ６３の複写処理において、原稿画像の中の複写禁止領域の画像を印刷しないだけでなく、複写禁止領域を囲う枠を印刷させる第２枠設定処理が行われてもよい。つまり、第２枠設定処理とは、電子ペーパＥから用紙へ画像が複写される場合、用紙において複写禁止領域を囲う枠をも印刷させる処理を意味する。
【０１３１】
第２枠設定処理は以下のように行われる。まず、Ｓ５２において、利用者は、表示部１９０に表示されている原稿画像３００のうち、第２枠設定処理の対象となる複写禁止領域を指定する第２の枠設定コマンドを操作部１８０から入力する（複写禁止領域の指定はタッチ等によって行われる）。制御部１５０は、第２の枠設定コマンドに基づき、第２枠設定処理の対象となる複写禁止領域の位置を示した第２の枠設定情報をメモリ１９６に記憶する。その後、制御部１５０は、Ｓ５４において、第２の枠設定情報を電子ペーパＥに記録するようになっている。そして、当該電子ペーパＥを用いて複写モードが実行される場合、図１０のＳ６３５において、制御部１５０は、電子ペーパＥに記録されている第２の枠設定情報を参照して、原稿画像が印刷される用紙上において複写禁止領域を囲う枠が印刷されるように印刷制御を行うようになっている。例えば、図１１に示すように、原稿画像３００の画像部分Ａが複写禁止領域として設定され、画像部分Ａに対して第２の枠設定処理が行われた場合、電子ペーパＥに記憶される原稿画像３００ａは変更されず、電子ペーパＥから用紙へ複写（印刷）される原稿画像は図１３の符号３００ｇのようになる。これにより、電子ペーパＥから原稿画像が複写された用紙において前記複写禁止領域に対応する箇所に枠を印刷できる。よって、複写禁止領域が設定されたが故に用紙において画像が複写されなかった部分があることを利用者に認識させることが可能になる。なお、第２の枠設定処理において、電子ペーパＥに記録される第２の枠設定情報は、原稿画像が複写される用紙において複写禁止領域に対応する部分を囲う枠を印刷することを複合機１００に指示する情報として機能している。
【０１３２】
また、本願明細書の「複合機」は、印刷機能とスキャン機能とを備えているものを指し、所謂「複写機」も複合機に含まれる。
【０１３３】
また、本実施形態の複合機１００はＳ５の画像記録モードとＳ６の画像複写モードとの両方が実行可能であるが、Ｓ５の画像記録モードを実行可能な情報処理装置と、Ｓ６の画像複写モードを実行可能な複写装置とは互いに別体になっていても構わない。
【０１３４】
さらに、本実施形態は、複合機１００と電子ペーパＥとを有する情報処理システムと表現することもできる。
【０１３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３６】
本発明は、電子ペーパ、電子ブック端末、スマートフォン等の携帯型表示媒体との間で非接触通信を行うことの可能な情報処理装置に利用できる。
【符号の説明】
【０１３７】
１００    複合機（情報処理装置，複写装置）
１１０    画像形成装置（複写部）
１２３    第１通信装置（記録部，複写部）
１３３    第２通信装置
１５０    制御部（記録部,受付部）
１８０    操作部
１９０    表示部
Ｅ    電子ペーパ（携帯型表示媒体）
【図１】
2012060527.tif 000003
【図２】
2012060527.tif 000004
【図３】
2012060527.tif 000005
【図４】
2012060527.tif 000006
【図５】
2012060527.tif 000007
【図６】
2012060527.tif 000008
【図７】
2012060527.tif 000009
【図８】
2012060527.tif 000010
【図９】
2012060527.tif 000011
【図１０】
2012060527.tif 000012
【図１１】
2012060527.tif 000013
【図１２】
2012060527.tif 000014
【図１３】
2012060527.tif 000015
【図１４】
2012060527.tif 000016